(57)【要約】【課題】ボルトやナットの締め付け状態を簡単且つ確実に視認可能とする。【解決手段】押し輪１５を固定する押しボルト１６の軸部に、軸方向の半分が円柱部２、残りの半分が蛇腹部３となり、円柱部２と蛇腹部３とに互いに異なる色の着色が施されている締め忘れ防止具１を外装させて、押し輪１５が固定状態となる押しボルト１６の締め付け位置では、押しボルト１６の頭部２６による締め忘れ防止具１の軸方向の押圧で蛇腹部３を完全収縮させるようにした。【選択図】図３
2009293644.tif 000002
【特許請求の範囲】
【請求項１】
ボルトの軸部に外装可能な筒状体で、一部に、所定の色で着色されて軸方向に伸縮可能な蛇腹部を有することを特徴とする締め忘れ防止具。
【請求項２】
前記蛇腹部以外の部分が、前記蛇腹部と異なる色で着色されていることを特徴とする請求項１に記載の締め忘れ防止具。
【請求項３】
一方の配管の挿入端部に、中心に向けて半径方向に複数の押しボルトを螺合させた押し輪を外装し、前記挿入端部を、開口縁にフランジを周設した他方の配管の受口端部に差し込み、前記フランジと押し輪とをボルト及びナットで連結した後、前記押しボルトを夫々締め付けて前記押し輪の抜け出しを防止する配管接続方法であって、
前記押しボルトの軸部に、請求項１又は２に記載の締め忘れ防止具を外装させて前記押し輪に螺合させ、前記押し輪が固定状態となる前記押しボルトの締め付け位置では、前記押しボルトの頭部による前記締め忘れ防止具の押圧で前記蛇腹部を完全収縮させるようにしたことを特徴とする配管接続方法。
【発明の詳細な説明】
【技術分野】
【０００１】
本発明は、配管の接続等に用いられるボルトやナットの締め忘れを防止するために用いられる締め忘れ防止具と、その締め忘れ防止具を用いた配管接続方法とに関する。
【背景技術】
【０００２】
例えば特許文献１に示すように、配管の接続には、半割となる一対のハウジング等のジョイント金具が用いられ、このジョイント金具の組み付けには、ボルト及びナットが専ら利用される。特にここでは、ボルトの締め付けをし忘れたり、締め付けが不十分であったりすると、接続部分から漏水するおそれがあることから、ボルトの頭部とハウジングとの間やナットとハウジングとの間に、着色した凸面を互いに対向させた一対の皿バネを重ねて介在させるようにしている。これによれば、ボルトの締付によって皿バネが座屈して着色面が覆い隠されることで、ボルトの締め付け状態を視認することができる。特許文献２にも同様の座金付きねじ具が開示されている。
【０００３】
【特許文献１】特開２０００−２３４６８４号公報
【特許文献２】実開昭６３−１３３６２１号公報
【発明の開示】
【発明が解決しようとする課題】
【０００４】
しかし、皿バネを用いた場合、締め付けの前後において軸方向への変形量が小さいため、離れた場所や暗い場所では視認しづらい。また、ボルトの頭部やナットとジョイント金具との間の寸法が、皿バネが伸縮する程度に小さいことが必要となり、例えばＫ形継手の特殊押し輪に対して半径方向に締め付けられる押しボルト（竪ボルトとも言う）のように、ボルトの頭部が突出した状態で締め付けられる箇所には適用できない。
【０００５】
そこで、本発明は、ボルトやナットの締め付け状態を簡単且つ確実に視認できて信頼性に優れ、Ｋ形継手の竪ボルトのようにボルトの頭部が突出状態で締め付けられるような場合でも好適に使用できる締め忘れ防止具と、その締め忘れ防止具を用いた配管接続方法とを提供することを目的としたものである。
【課題を解決するための手段】
【０００６】
上記目的を達成するために、請求項１に記載の発明は、締め忘れ防止具であって、ボルトの軸部に外装可能な筒状体で、一部に、所定の色で着色されて軸方向に伸縮可能な蛇腹部を有することを特徴とするものである。
請求項２に記載の発明は、請求項１の構成において、蛇腹部以外の部分が、蛇腹部と異なる色で着色されていることを特徴とするものである。
上記目的を達成するために、請求項３に記載の発明は、一方の配管の挿入端部に、中心に向けて半径方向に複数の押しボルトを螺合させた押し輪を外装し、挿入端部を、開口縁にフランジを周設した他方の配管の受口端部に差し込み、フランジと押し輪とをボルト及びナットで連結した後、押しボルトを夫々締め付けて押し輪の抜け出しを防止する配管接続方法であって、押しボルトの軸部に、請求項１又は２に記載の締め忘れ防止具を外装させて押し輪に螺合させ、押し輪が固定状態となる押しボルトの締め付け位置では、押しボルトの頭部による締め忘れ防止具の押圧で蛇腹部を完全収縮させるようにしたことを特徴とするものである。
【発明の効果】
【０００７】
請求項１に記載の発明によれば、離れた場所や暗い場所でもボルト又はナットの締め付け状態を簡単且つ確実に視認でき、信頼性に優れる。よって、Ｋ形継手の押しボルトのように頭部が突出状態で締め付けられるような場合に好適に使用可能となる。
請求項２に記載の発明によれば、請求項１の効果に加えて、蛇腹部以外の部分の着色により、蛇腹部が完全収縮した際には蛇腹部の色が消えて蛇腹部以外の部分が目立つことになるため、締め付け状態の視認性がより高まる。
請求項３に記載の発明によれば、Ｋ形継手の押しボルトの締め付け状態が簡単且つ確実に視認できる。よって、押しボルトの締め忘れや締め付け不足及び片締めがなくなって配管接続後の押し輪離脱による漏水を効果的に防止可能となる。
【発明を実施するための最良の形態】
【０００８】
以下、本発明の実施の形態を図面に基づいて説明する。
図１は、締め忘れ防止具の一例を示す説明図で、締め忘れ防止具１は、合成樹脂製の筒状体で、軸方向の半分が円柱部２、残りの半分が蛇腹部３となっており、円柱部２と蛇腹部３とには互いに異なる色の着色（例えば円柱部を黄色、蛇腹部を赤色）が施されている。この着色は、塗料を塗布する等の任意の着色手段で行えばよいが、特に円柱部では色付きの粘着テープやシールを貼着したり等、必ずしも円柱部と蛇腹部とで同じ着色手段を採用する必要はない。
よって、この締め忘れ防止具１は、蛇腹部３が軸方向に伸縮可能となり、蛇腹部３の完全収縮時には、図２のように軸方向に短くなって円柱部２が目立つことになる。
【０００９】
一方、図３は、配管接続構造の一例を示すもので、右が縦断面図、左が正面図となっている。この配管接続構造はＫ形継手と称される構造で、一方の配管１０の挿入端部１１を、開口縁にフランジ１４を周設した他方の配管１２の受口端部１３に差し込み、押し輪１５と受口端部１３のフランジ１４との間を、Ｔ頭ボルト１７及びナット１８で連結した後、複数の押しボルト１６，１６・・を締め付けて挿入端部１１の外周に押し輪１５を固定することで、両配管１０，１２の端部同士が接続される形態となっている。
【００１０】
押し輪１５は、押しボルト１６が中心に向けて螺合される半径方向の雌ねじ穴１９，１９・・と、Ｔ頭ボルト１７が貫通する軸方向の透孔２０，２０・・とを交互に８箇所形成したリング状で、内周には、各雌ねじ穴１９と連通する凹溝２１が周設されて、凹溝２１内に、円弧状の４つの弓形爪２２，２２・・が嵌入されている。２３は、隣り合う弓形爪２２，２２の間で凹溝２１に嵌入される爪固定ゴムである。
また、押し輪１５における受口端部１３側の端面には、挿入端部１１の外面に沿って位置決めフランジ２４が周設されて、受口端部１３のフランジ１４の内周側で挿入端部１１に外装されたゴム輪２５に当接している。
【００１１】
そして、ここでは押しボルト１６に締め忘れ防止具１が用いられている。すなわち、押し輪１５の外周面から突出する押しボルト１６の軸部に、円柱部２を押しボルト１６の頭部２６側にして外装させて、締め忘れ防止具１を頭部２６と押し輪１５の外周面との間に介在させたもので、押しボルト１６の締め付け前では、同図に示すように蛇腹部３は伸長状態となっている。
【００１２】
以上の如く構成された配管接続構造において、接続手順を説明すると、まず押し輪１５とゴム輪２５とを夫々挿入端部１１に外装させて、押し輪１５の各雌ねじ穴１９に、締め忘れ防止具１を外装させた押しボルト１６を螺合させる。そして、挿入端部１１を受口端部１３に差し込んで、ゴム輪２５が受口端部１３の内面に当接し、そのゴム輪２５に位置決めフランジ２４が当接する位置で押し輪１５を位置決めする。この状態で、受口端部１３のフランジ１４に設けた透孔２７を介してＴ頭ボルト１７を夫々差し込み、対応する押し輪１５の透孔２０に差し込んで、ナット１８を締め付けると、フランジ１４と押し輪１５とが連結される。
【００１３】
そして、押し輪１５の各押しボルト１６を締め付ける。すると、押しボルト１６によって弓形爪２２が挿入端部１１の外面に押圧されて、押し輪１５は挿入端部１１に固定され、配管１０，１２の接続が完了する。
この押しボルト１６の締め付けに伴い、頭部２６が押し輪１５の外周面に近づくことで、締め忘れ防止具１が頭部２６と押し輪１５の外周面との間で軸方向に押圧されるため、蛇腹部３が収縮して徐々に短くなる。そして、押し輪１５が固定状態となる押しボルト１６の締め付け位置では、図４のように蛇腹部３が完全収縮し、円柱部２のみが軸部に残る格好となり、押し輪１５の離脱防止が図られる。
【００１４】
ここで、何れかの押しボルト１６に締め忘れや締め付け不足があった場合には、当該押しボルト１６の締め忘れ防止具１の蛇腹部３が伸長したまま、或いは完全収縮せずに残るため、蛇腹部３の色が表れたままとなる。従って、作業者は蛇腹部３の色の有無によって全ての押しボルト１６の締め付け状態が視認可能となる。特に、円柱部２が黄色等に着色されていれば、作業者は全ての押しボルト１６において黄色の円柱部２のみが視認できることで締め忘れがないことを容易に理解できる。
【００１５】
このように、上記形態の締め忘れ防止具１及び配管接続方法によれば、離れた場所や暗い場所でも押しボルト１６の締め付け状態を簡単且つ確実に視認でき、信頼性に優れる。よって、押しボルト１６の締め忘れや締め付け不足及び片締めがなくなって配管接続後の押し輪１５の離脱による漏水を効果的に防止可能となる。
特にここでは、締め忘れ防止具１の円柱部２も蛇腹部３と異なる色で着色されているので、蛇腹部３が完全収縮した際には蛇腹部３の色が消えて円柱部２が目立つことになるため、締め付け状態の視認性がより高まる。
【００１６】
なお、締め忘れ防止具の軸方向の長さや円柱部と蛇腹部との軸方向の割合は上記形態に限らず、締め付け前後のボルトのストロークに応じて適宜変更可能である。また、蛇腹部以外の部分は円柱に限らず、角柱等の他の形状でも差し支えないし、着色も、少なくとも蛇腹部に施されていれば、それ以外は未着色でもよい。さらに、ボルトへの外装は、蛇腹部をボルトの頭部側にすることも可能である。
加えて、締め忘れ防止具の軸方向全長に亘ってスリット（すり割り）を形成し、ボルトを押し輪等に螺合させた状態でもスリットを介してボルトの軸部に外装できるようにすることも考えられる。勿論押し輪等の他の構造も上記形態に限らない。例えば配管の径によって押しボルトの数が増減すればそれに合わせた数の締め忘れ防止具が使用される。
【００１７】
一方、上記形態では、Ｋ形継手の押しボルトに締め忘れ防止具を適用した例で説明しているが、本発明の締め忘れ防止具は当該継手に限定するものではなく、例えば先の背景技術で説明したように、半割のジョイント金具を用いた継手において、ジョイント金具同士を組み付けるボルトに適用する等、他の構造であっても採用可能である。また、ボルトの頭部による押圧で蛇腹部を収縮させる形態に限らず、ナットの締め付けによる押圧で蛇腹部を収縮させるようにしても差し支えない。
その他、本発明の締め忘れ防止具は、配管接続の分野以外に、建築、土木現場等の他の分野においても使用すれば、ボルトやナットの締め付け状態の視認が可能となり、安全且つ信頼性の高い施工に寄与できる。
【図面の簡単な説明】
【００１８】
【図１】締め忘れ防止具の斜視図である。
【図２】蛇腹部が完全収縮した状態を示す斜視図である。
【図３】配管接続構造の説明図である（押しボルト締め付け前）。
【図４】配管接続構造の説明図である（押しボルト締め付け後）。
【符号の説明】
【００１９】
１・・締め忘れ防止具、２・・円柱部、３・・蛇腹部、１０，１２・・配管、１１・・挿入端部、１３・・受口端部、１４・・フランジ、１５・・押し輪、１６・・押しボルト、１９・・雌ねじ穴、２２・・弓形爪、２６・・頭部。
【図１】
2009293644.tif 000003
【図２】
2009293644.tif 000004
【図３】
2009293644.tif 000005
【図４】
2009293644.tif 000006